(57)【要約】【課題】  薄板状体をセット可能なトレイへの薄板状体のセット作業或いは取り外し作業を、より安全に行える様にする。【解決手段】  薄板状体としての光ディスクをセット可能なセット部３５１が設けられたトレイ３５０は、インクジェット記録ヘッドの上流側に設けられた搬送手段によって搬送可能な形状を成すとともに、記録装置に一体的に設けられ、釦操作によって装置前方側に突き出て光ディスクをセット可能な状態となり、或いは、当該光ディスクをセット可能な状態から装置後方側に引き戻されることで、光ディスクへの記録を実行可能な状態となる。トレイ３５０には、光ディスクをセット部３５１から取り出し可能とする穴部としての第３の収容部３５２ｃが、トレイ３５０の搬送方向下流側端部に開口部を有する様に形成され、これにより、第３の収容部３５２ｃに指が挿入されたままトレイ３５０が装置内部に引き戻されても、指を挟む虞がない。【選択図】図２０
2005096412.tif 000002
【特許請求の範囲】
【請求項１】
薄板状体をセット可能なセット部が設けられるとともに、前記薄板状体の記録面に記録を実行する記録手段の上流側に設けられた搬送手段によって搬送可能な形状を成すトレイであって、
前記セット部に、前記薄板状体を前記セット部から取り出し可能とする穴部が、前記トレイの搬送方向下流側端部に開口部を有する様に形成されている、
ことを特徴とするトレイ。
【請求項２】
請求項１において、前記穴部が、前記セット部から前記トレイの搬送方向下流側端部に延びるような溝形状を成す様に形成されている、
ことを特徴とするトレイ。
【請求項３】
請求項１または２において、前記トレイのセット部は、当該セット部と輪郭の異なる薄板状体である異形薄板状体をセット可能な異形薄板状体セット部を有するアダプタを装着可能であり、
前記アダプタには、前記穴部と嵌合可能な形状を成す舌片が形成されている、
ことを特徴とするトレイ。
【請求項４】
請求項３において、前記アダプタは、前記トレイのセット部との位置関係を決める位置決め片を有し、前記トレイのセット部は、前記位置決め片を嵌合可能な収容部を有することを特徴とするトレイ。
【請求項５】
請求項４において、前記異形薄板状体セット部には、前記異形薄板状体セット部にセットされた異形薄板状体を支持可能な支持部が設けられているとともに、当該支持部が、前記位置決め片を兼ねるように構成されていることを特徴とするトレイ。
【請求項６】
請求項３から５のいずれか一項において、前記異形薄板状体のセットされた前記アダプタを前記トレイに装着した状態で、前記アダプタ及び前記異形薄板状体が前記トレイから前記トレイの厚さ方向に突出しないように構成されている、
ことを特徴とするトレイ。
【請求項７】
請求項３から６のいずれか一項において、前記トレイのセット部は、外縁部分が略円形状の凹部で、中心部分には凸部が設けられており、
前記異形薄板状体は中央に穴を有するリング状の円盤で、該異形薄板状体の、外径は前記凹部の直径よりも小さく、内径は前記凸部の外径と略同寸法であり、
前記アダプタは、中央に穴を有する略リング状の円盤である基礎部を備え、該アダプタの基礎部の、外径は前記凹部の直径と略同寸法で、内径は前記異形薄板状体の外径と略同寸法で、当該基礎部の内径部分は前記異形薄板状体セット部であり、
前記異形薄板状体の厚さ及び前記アダプタの基礎部の厚さは前記凹部の深さと略同寸法であり、
前記支持部は、前記基礎部の内径部分から内方に向かって突出し、さらに前記基礎部におけるトレイと対向する面から該基礎部の厚さ方向外側に突出しており、
前記支持部の前記基礎部から厚さ方向外側に突出する突出量は、前記トレイのセット部における底面の厚さよりも小さく形成されていることを特徴とするトレイ。
【請求項８】
薄板状体をセット可能なセット部が設けられたトレイを案内部材に沿って所定の搬送量ずつ間欠的に搬送可能に構成された搬送手段と、前記トレイにセットされたまま搬送される薄板状体の記録面に対して記録を実行可能に構成された記録手段と、前記トレイを格納可能な待機位置と前記搬送手段との間の当該トレイの搬送を実行可能な補助搬送手段と、を備えた記録装置における前記トレイであって、
前記セット部に、前記トレイの前方の辺に形成された切り欠きを有している、
ことを特徴とするトレイ。
【請求項９】
薄板状体の記録面に記録を実行可能な記録手段と、
前記薄板状体をセット可能な、請求項１から８のいずれか１項に記載された前記トレイと、
前記記録手段の上流側に設けられ、前記トレイを前記記録手段の側へと搬送する搬送手段と、
を備えたことを特徴とする記録装置。
【請求項１０】
薄板状体の液体噴射面に液体噴射を実行可能な液体噴射手段と、
薄板状体をセット可能なセット部が設けられるとともに、前記薄板状体の液体噴射面に液体噴射を実行する液体噴射手段の上流側に設けられた搬送手段によって搬送可能な形状を成すトレイと、を備えた液体噴射装置であって、
前記セット部に、前記薄板状体を前記セット部から取り出し可能とする取り出し穴が、前記トレイの搬送方向下流側端部に開口部を有する様に形成されている、
ことを特徴とする液体噴射装置。
【発明の詳細な説明】
【技術分野】
【０００１】
本発明は、薄板状体をセット可能なセット部が設けられるとともに、前記薄板状体の記録面に記録を実行する記録手段の上流側に設けられた搬送手段によって搬送可能な形状を成すトレイ及びこれを備えた記録装置に関する。
【０００２】
ここで、液体噴射装置とは、インクジェット式記録ヘッドが用いられ、該記録ヘッドからインクを吐出して被記録媒体に記録を行うプリンタ、複写機およびファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含む意味で用いる。  
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００３】
インクジェットプリンタに代表される記録装置或いは液体噴射装置には、ＤＶＤ（Digital
Versatile Disc）等に代表される、薄板状体としての光ディスクのラベル面に、直接インク滴を吐出することによって記録可能に構成されたものがある。この様なインクジェットプリンタにおいては、一般的に、光ディスク等の薄板状体はプレート形状を成すトレイにセットされ、該トレイにセットされた状態でインクジェットプリンタ内の搬送経路を搬送され、そして記録が実行される（例えば、特許文献１参照）。
【０００４】
【特許文献１】特開２００２−３５６０３０号公報
【発明の開示】
【発明が解決しようとする課題】
【０００５】
ここで、前記トレイをインクジェットプリンタから独立させて構成し、光ディスクへの記録実行時には、当該光ディスクをセットしたトレイを記録装置に給送（挿入）し、そして記録を実行する様に構成することができる一方で、前記トレイを記録装置と一体に構成することもできる（所謂ビルトインタイプ）。前記トレイを記録装置と一体に構成する場合には、前記トレイの前進及び後退動作を、ボタン操作によって自動で実行可能に構成することが、操作性を容易にする観点から必要となる。従ってこの様な構成を有するインクジェットプリンタにおいては、前記トレイに光ディスクをセットする際には、操作ボタンを押下することで、前記トレイを記録装置外に突出させる、即ち前記トレイに光ディスクをセット可能なセット位置まで前進させて、前記トレイへの光ディスクのセット作業、或いは取り外し作業を行う。そして再び操作ボタンを押下することで、前記トレイを印刷待機位置或いは格納位置まで後退させる。
【０００６】
しかし、この様な前記トレイのビルトインタイプの記録装置において前記トレイを押しボタン操作によって前進及び後退可能に構成する場合には、ユーザが誤って上記操作ボタンを押下した様な場合、つまり、ユーザの意図しないタイミングで前記トレイが搬送される場合がある。例えば、前記トレイにセットされた光ディスクを取り外そうとした際に、誤って前記操作ボタンを押下することで、前記トレイが後退してしまう虞もある。このとき、前記トレイに光ディスク取り出し（イジェクト）用の穴部が形成され、当該穴部に指を挿入した状態のまま前記トレイが後退する（装置内部に引き戻される）と、前記穴部と、装置との間で指が挟まれる虞もある。  
そこで本発明はこの様な問題に鑑みなされたものであり、その課題は、薄板状体をセット可能なトレイへの薄板状体のセット作業或いは取り外し作業を、より安全に行える様にすることにある。
【課題を解決するための手段】
【０００７】
上記課題を解決する為に、本発明の第１の態様は、薄板状体をセット可能なセット部が設けられるとともに、前記薄板状体の記録面に記録を実行する記録手段の上流側に設けられた搬送手段によって搬送可能な形状を成すトレイであって、前記セット部に、前記薄板状体を前記セット部から取り出し可能とする穴部が、前記トレイの搬送方向下流側端部に開口部を有する様に形成されていることを特徴とする。  
上記態様によれば、前記トレイには薄板状体を取り出し可能とする穴部が形成されていて、当該穴部に指を挿入することで、薄板状体を前記トレイから取り外す（イジェクトする）ことが可能となっている。そして、当該穴部は、前記トレイの搬送方向下流側端部に開口部を有する様に形成されているので、前記穴部に指を挿入した状態のまま前記トレイが搬送方向上流側に引き戻されても、前記穴部に挿入された指は前記開口部から前記トレイの外側に出ることができ、従って前記穴部と装置との間で指が挟まれるといった問題を招くことがなく、安全に前記トレイへの薄板状体のセット作業或いは取り外し作業を行うことができる。
【０００８】
本発明の第２の態様は、上記第１の態様において、前記穴部が、前記セット部から前記トレイの搬送方向下流側端部に延びるような溝形状を成す様に形成されていることを特徴とする。本態様によれば、前記穴部が、前記セット部から前記トレイの搬送方向下流側端部に真っ直ぐに延びるような溝形状を成しているので、前記穴部に挿入された指が前記穴部から外れ易く、より一層安全に前記トレイへの薄板状体のセット作業或いは取り外し作業を行うことができる。
【０００９】
本発明の第３の態様は、上記第１のまたは第２の態様において、前記トレイのセット部は、当該セット部と輪郭の異なる薄板状体である異形薄板状体をセット可能な異形薄板状体セット部を有するアダプタを装着可能であり、前記アダプタには、前記穴部と嵌合可能な形状を成す舌片が形成されていることを特徴とする。  
上記態様によれば、前記トレイのセット部は、当該セット部と輪郭の異なる薄板状体である異形薄板状体をセット可能なアダプタを装着可能であり、前記アダプタには、前記穴部と嵌合可能な形状を成す舌片が形成されているので、当該舌片を指で持ち上げることで前記アダプタを容易に前記トレイから取り外すことができる。そして、このときに前記穴部に指が挿入されたまま前記トレイが引き戻されても、上述した開口部によって、前記穴部と装置との間で指が挟まれるといった問題を招くことがなく、安全に前記トレイへの前記アダプタのセット作業或いは取り外し作業を行うことができる。
【００１０】
本発明の第４の態様は、上記第３の態様において、前記アダプタは、前記トレイのセット部との位置関係を決める位置決め片を有し、前記トレイのセット部は、前記位置決め片を嵌合可能な収容部を有することを特徴とする。  
上記態様によれば、アダプタは位置決め片をトレイの収容部に嵌合させて位置決め可能であり、トレイに対するアダプタのずれが抑えられるため、アダプタにセットされた異形薄板状体についてもトレイに対するずれが抑えられて、異形薄板状体に記録を実行する際の記録品質の低下を抑えることができる。
【００１１】
本発明の第５の態様は、上記第４の態様において、前記異形薄板状体セット部には、前記異形薄板状体セット部にセットされた異形薄板状体を支持可能な支持部が設けられているとともに、当該支持部が、前記位置決め片を兼ねるように構成されていることを特徴とする。  
上記態様によれば、アダプタの構造の簡素化及び該アダプタを装着可能なトレイの構造の簡素化を図ることができるため、生産コストの増加が抑えられる。
【００１２】
本発明の第６の態様は、上記第３から第５の態様のいずれかにおいて、前記異形薄板状体のセットされた前記アダプタを前記トレイに装着した状態で、前記アダプタ及び前記異形薄板状体が前記トレイから前記トレイの厚さ方向に突出しないように構成されていることを特徴とする。  
上記態様によれば、アダプタ及び異形薄板状体が、トレイから当該トレイの厚さ方向に突出しないようにトレイ及びアダプタが構成されているため、アダプタや異形薄板状体の外縁部分で段差が形成されず、搬送手段がトレイを搬送する際に、当該搬送手段が、アダプタや異形薄板状体の外縁部分に引っ掛かって、アダプタや異形薄板状体をセット部から蹴り出すようにして押し出してしまうことを防止可能である。  
したがって、異形薄板状体のセットされたアダプタを装着したトレイを円滑に搬送できる。尚、アダプタ及び異形薄板状体が、トレイから当該トレイの厚さ方向に突出しない構成を、トレイ又はアダプタのどちらか一方で実現していても良い。
【００１３】
本発明の第７の態様は、上記第３から第６の態様のいずれかにおいて、前記トレイのセット部は、外縁部分が略円形状の凹部で、中心部分には凸部が設けられており、前記異形薄板状体は中央に穴を有するリング状の円盤で、該異形薄板状体の、外径は前記凹部の直径よりも小さく、内径は前記凸部の外径と略同寸法であり、前記アダプタは、中央に穴を有する略リング状の円盤である基礎部を備え、該アダプタの基礎部の、外径は前記凹部の直径と略同寸法で、内径は前記異形薄板状体の外径と略同寸法で、当該基礎部の内径部分は前記異形薄板状体セット部であり、前記異形薄板状体の厚さ及び前記アダプタの基礎部の厚さは前記凹部の深さと略同寸法であり、前記支持部は、前記基礎部の内径部分から内方に向かって突出し、さらに前記基礎部におけるトレイと対向する面から該基礎部の厚さ方向外側に突出しており、前記支持部の前記基礎部から厚さ方向外側に突出する突出量は、前記トレイのセット部における底面の厚さよりも小さく形成されていることを特徴とする。  
上記態様によれば、略リング状の円盤であるアダプタの基礎部は、外径がトレイのセット部として設けられた凹部の直径と略同寸法であり、異形薄板状体セット部である内径部分の直径が異形薄板状体の外径と略同寸法のため、トレイのセット部と該セット部にセットされた異形薄板状体との間の隙間を埋めることができる。また、前記異形薄板状体の厚さ及び前記アダプタの基礎部の厚さが前記凹部の深さと略同寸法であるため、異形薄板状体の記録面とトレイの面とアダプタの面が面一にできる。  
さらに基礎部におけるトレイと対向する面から厚さ方向外側に突出する支持部の突出量は、トレイのセット部における底面の厚さよりも小さいため、アダプタ及び異形薄板状体が、トレイからトレイの厚さ方向に突出せず、薄板状体のセットされたアダプタを装着したトレイを円滑に搬送することができる。
【００１４】
本発明の第８の態様は、薄板状体をセット可能なセット部が設けられたトレイを案内部材に沿って所定の搬送量ずつ間欠的に搬送可能に構成された搬送手段と、前記トレイにセットされたまま搬送される薄板状体の記録面に対して記録を実行可能に構成された記録手段と、前記トレイを格納可能な待機位置と前記搬送手段との間の当該トレイの搬送を実行可能な補助搬送手段と、を備えた記録装置における前記トレイであって、前記トレイのセット部に、前記トレイの前方の辺に形成された切り欠きを有していることを特徴とする。  
本態様によれば、前記トレイのセット部は、前記トレイの前方の辺に形成された切り欠きを有しているので、当該切り欠きに指を挿入することで、薄板状体を前記セット部から取り外す（イジェクトする）ことが可能となる。そして、当該切り欠きは、前記トレイの前方（搬送方向下流側端部）の辺に形成された切り欠きであるので、前記切り欠きに指を挿入した状態のまま前記トレイが搬送方向上流側に引き戻されても、前記切り欠きに挿入された指は前記切り欠きから前記トレイの外側に出ることができ、従って前記切り欠きと装置との間で指が挟まれるといった問題を招くことがなく、安全に前記トレイへの薄板状体のセット作業或いは取り外し作業を行うことができる。
【００１５】
本発明の第９の態様に係る記録装置は、薄板状体の記録面に記録を実行可能な記録手段と、前記薄板状体をセット可能な、上記第１から第８の態様のいずれかに記載された前記トレイと、前記記録手段の上流側に設けられ、前記トレイを前記記録手段の側へと搬送する搬送手段とを備えたことを特徴とする。  
上記態様によれば、記録装置は上記第１から第８の態様のいずれかに記載された前記トレイを備えているので、上述した第１から第８の態様のいずれかと同様な作用効果を得ることができる。
【００１６】
本発明の第１０の態様に係る液体噴射装置は、薄板状体の液体噴射面に液体噴射を実行可能な液体噴射手段と、薄板状体をセット可能なセット部が設けられるとともに、前記薄板状体の液体噴射面に液体噴射を実行する液体噴射手段の上流側に設けられた搬送手段によって搬送可能な形状を成すトレイと、を備えた液体噴射装置であって、前記セット部に、前記薄板状体を前記セット部から取り出し可能とする取り出し穴が、前記トレイの搬送方向下流側端部に開口部を有する様に形成されていることを特徴とする。
【発明を実施するための最良の形態】
【００１７】
以下、本願発明の実施の形態を、  
１．記録装置の構成  
２．異形薄板状体をセット可能なアダプタ、及びトレイの第１実施例  
３．異形薄板状体をセット可能なアダプタ、及びトレイの第２実施例  
の順に、図面に基づきながら説明する。  
＜１．記録装置の構成＞  
図１は、本実施形態に係る記録装置の正面及び左側面を示す上方からの外観斜視図である。図２は、ハウジングを外した本実施の形態に係る正面及び左側面を示す上方からの斜視図である。  
図３乃至図５は、セット部に光ディスクのセットされたトレイが待機位置にある状態の記録装置を各方向から示したものであって、図３は、記録装置の平面（上面）及び右側面を示す前方（正面側）からの斜視図であり、図４は、記録装置の平面（上面）及び右側面を示す後方（背面側）からの斜視図であり、図５は、記録装置の上方からの平面図である。  
図６は、記録装置の主要部を示す記録装置の右側断面図である。図７は、トレイにセットされた薄板状体としての光ディスクを搬送中の記録装置についての上方からの平面図である。図８は、待機位置に位置するトレイにセットされた光ディスクを拘束する拘束手段の第２の実施例を示す要部拡大図である。
【００１８】
図９は、異形薄板状体をセット可能なアダプタが装着されたトレイを示す平面図である。図１０は、異形薄板状体のセットされたアダプタが装着されたトレイを備えた記録装置を示す平面図である。図１１は、アダプタを装着可能なトレイのセット部を示す前方（正面側）からの拡大斜視図である。図１２は、異形薄板状体をセット可能なアダプタを示す上面側からの斜視図である。図１３は、異形薄板状体をセット可能なアダプタを示す下面側からの斜視図である。図１４は、異形薄板状体のセットされたアダプタが装着されたトレイの断面図であって、該トレイは待機位置に位置して拘束手段が異形薄板状体をアダプタの異形薄板状体セット部に拘束している状態を示している。図１５は、異形薄板状体をセット可能なアダプタが装着されたトレイのセット部を示す前方（正面側）からの拡大斜視図である。図１６は、異形薄板状体のセットされたアダプタが装着されたトレイのセット部を示す前方（正面側）からの拡大斜視図である。
【００１９】
まず、図１乃至図７を参照しつつ、記録装置１の概略構成について説明し、次に被記録材の搬送について説明した後、トレイ５０にセットされた光ディスク（薄板状体）１０１を拘束する拘束手段６５について説明し、続いて図８を参照しつつ、トレイ５０にセットされた光ディスク１０１を拘束する拘束手段６５の変形例について説明し、その後図９乃至図１６参照しつつ、異形薄板状体をセット可能なアダプタ、及び該アダプタを装着可能なトレイについて説明する。
【００２０】
図１に示すように、記録装置１は、その外観が略箱形状のハウジング３に形成され、下部には被記録材の一例である記録用紙Ｐを積畳可能な給紙カセット１０を備え、前面は下端部分（図１の符号５ａ）を中心に前方へと回転して開くように構成された前カバー５で覆われ、上面部分にはインクカートリッジ２１（図６も参照）を収容可能なインク収容部２０が設けられている。
【００２１】
図２は、記録装置１から前記ハウジング３、前記インク収容部２０等が外された状態であり、記録装置１の内部を示している。記録装置１の内部には、トレイ５０（図２の実線）が備えられており、該トレイ５０には、記録面１０１ａを有する薄板状体である光ディスク１０１をセット可能なセット部５２が設けられている。
【００２２】
該セット部５２は、凹状の円形溝であり、その中心部分には凸部５３が設けられている。セット部５２である円形溝の直径は、ＣＤ−ＲやＤＶＤ等の光ディスク１０１の外径と略同寸法である。前記凸部５３の外径は光ディスク１０１の中央に設けられた穴の直径と略同寸法であり、また当該円形溝の深さとなる凸部５３の高さは、光ディスク１０１の厚さと略同寸法（図６も参照）であり、当該円形溝に光ディスク１０１を嵌め込むようにしてセット可能となっている。  
すなわちセット部５２は、セットされた（嵌め込まれた）光ディスク１０１がトレイ５０に対して当該トレイ５０の平面と平行な方向（本実施例においては、水平方向）に相対的にずれないように形成されている。
【００２３】
図３、図４、図５に示すようにトレイ５０は幅方向の両端部を案内部材９０に支持され、図６に示すように案内部材９０はトレイ５０を上下から挟み込むように構成されており、トレイ５０は、案内部材９０に沿って記録装置１の前後方向（以下、副走査方向と言う）にスライド可能となっている。
【００２４】
記録装置１の前カバー５を前方に開いた状態において、トレイ５０は、主に補助搬送手段７０、搬送手段４０（図６を参照）によって、記録装置１内部の待機位置６０から記録装置１の前方に向かって進出して突き出ること（図２の一点鎖線）が可能であるように構成され、突き出た状態のトレイ５０に対して光ディスク１０１をセットすること及び取り外すことができる。また、トレイ５０は、主に補助搬送手段７０及び搬送手段４０の連携によって、記録装置１の前方に突き出た状態から再び記録装置１の内部の待機位置６０に引き戻すことが可能であるように構成されている。
【００２５】
ここで待機位置６０とは、記録装置１の電源を切っているときや、記録用紙Ｐに対して記録を実行するとき等のトレイ５０を使用しないときに、トレイ５０を格納する位置であり、トレイ５０が当該待機位置６０に位置する際には、当該トレイ５０は搬送手段４０から離間された状態にある。  
尚、既述したように待機位置６０は、トレイ５０を使用しないときに該トレイ５０を格納する位置であり、本来トレイ５０に光ディスク１０１をセットしたまま、当該トレイ５０を待機位置６０に格納することは、通常はしないしその必要性もない。
【００２６】
しかしながら、光ディスク１０１をセット部５２にセットしたまま、図２乃至図６に示すようにトレイ５０を待機位置６０に格納することは、構造的には可能であり、また、トレイ５０は、誤動作や誤操作によっても、光ディスク１０１をセット部５２にセットしたまま待機位置６０に格納されることがある。
【００２７】
図６に示すように、搬送手段４０の前方、すなわち図６における搬送手段４０の左側には、排出手段８０が備えられ、搬送手段４０と排出手段８０との間（搬送手段４０の下流側（搬送方向下流側：図６の左方向）であって排出手段８０の上流側（搬送方向上流側：図６の右方向）の、上方には記録手段３０が備えられ、下方にはプラテン２５が備えられ、前記記録手段３０の上方には前記インク収容部２０が位置して、該インク収容部２０に備えられたインクカートリッジ２１から前記記録手段３０にインクを供給可能であるように構成されている。
【００２８】
また、記録手段３０の後方、すなわち図６における記録手段３０の右側には、側面視Ｄ字状に形成された給紙ローラ１５が備えられており、前記給紙カセット１０には、ホッパ揺動中心１２ａを中心に揺動可能なホッパ１２が備えられており、当該ホッパ１２が積畳された記録用紙Ｐを下方から押し上げることで、当該記録用紙Ｐを給紙ローラ１５に押圧可能であるように構成されている。
【００２９】
そして、記録用紙Ｐが押圧された状態で給紙ローラ１５を、図６の時計回りに回転させることで、前記給紙カセット１０に積畳された記録用紙Ｐを記録手段３０に向けて単位数ずつ給紙可能に構成されている。  
給紙カセット１０の上方には、前記トレイ５０の待機位置６０が位置しており、該待機位置６０の上方には、光ディスク１０１がセット部５２から外れることを防止するように構成された拘束手段６５としての第１の拘束部材６６が備えられている。
【００３０】
該第１の拘束部材６６は、図４乃至図６に示すように一方の端部が回転中心（以下、拘束部材回転中心６６ａと言う）となるようにフレーム６２に軸支され、他端（以下、第１の拘束部材６６の先端部分と言う）が光ディスク１０１のセットされたトレイ５０が少なくとも待機位置６０にあるときに、光ディスク１０１と当接可能であるように構成されている。  
そして、第１の拘束部材６６は先端部が、光ディスク１０１と当接することで、当該光ディスク１０１がトレイ５０の平面に対して垂直な方向（本実施例においては、鉛直方向）に移動することを阻止可能であるように構成されている。
【００３１】
また本実施例では、図２におけるトレイ５０の右端辺部（トレイ５０自身の左端辺部）を支持する案内部材９０も拘束手段６５であり、当該案内部材９０は光ディスク１０１の外縁部分１０１ｃと当接可能な外縁部拘束部材としての第２の拘束部材６７ａを兼ねている。尚、拘束手段６５の詳細については後述する。
【００３２】
図２における記録装置１の左部分（記録装置１自身の右部分）には、前記搬送手段４０、前記排出手段８０等にモータ２７の動力を伝達可能であるように構成された駆動部８５が備えられている。  
該駆動部８５は、モータ２７からの動力の伝達経路を切り換えて、前記補助搬送手段７０へと動力を伝達可能に構成された動力伝達切換手段８６を有し、さらに、該動力伝達切換手段８６は、モータ２７からの動力の伝達経路を切り換えて、前記記録手段３０をプラテン２５の上面と垂直な方向に移動させること、すなわち前記記録手段３０の位置（高さ）を変更することが可能であるように構成されている。
【００３３】
前記補助搬送手段７０は、図２におけるトレイ５０の左端辺部（トレイ５０自身の右端辺部）に設けられたラック５４と歯合可能な歯車（図示せず）を有する歯車列７２（図４も参照）を備え、該歯車列７２は前記モータ２７の動力を前記動力伝達切換手段８６から受けて、トレイ５０に設けられたラック５４を駆動可能であるように構成されている。  
補助搬送手段７０及びラック５４に伝えられる動力は、前記動力伝達切換手段８６によって、動力の伝達経路を切り換えることで遮断することも可能である。
【００３４】
そして補助搬送手段７０は、ラック５４を駆動することで、トレイ５０を格納可能な待機位置６０と前記搬送手段４０との間の当該トレイ５０の搬送を実行可能であるように構成されている。  
前記搬送手段４０は、記録手段３０の上流側に設けられ、記録装置１の幅方向（図５の上下方向又は図６の紙面表裏方向であって、以下、主走査方向と言う）に伸びる搬送用駆動ローラ４１と、該搬送用駆動ローラ４１と対をなすように設けられた複数の搬送用従動ローラ４２と、を備えている。搬送用駆動ローラ４１は、モータ２７によって駆動されるように構成されており、各搬送用従動ローラ４２は、搬送用従動ローラホルダ４２１に軸支されている。尚、説明を容易にするため、図６には搬送用従動ローラホルダ４２１を図示していない。
【００３５】
該搬送用従動ローラホルダ４２１は、搬送用従動ローラ４２が搬送用駆動ローラ４１に対して接離可能であるように設けられ、図示しない搬送用従動ローラ付勢手段によって搬送用従動ローラ４２が搬送用駆動ローラ４１に向かうように付勢されている。  
そして搬送手段４０は、トレイ５０を搬送用駆動ローラ４１と搬送用従動ローラ４２との間に挟持した状態で、搬送用駆動ローラ４１をモータ２７によって間欠的に回転駆動することで、当該トレイ５０を前記案内部材９０に沿って所定の搬送量ずつ間欠的に搬送可能であり、同様に当該トレイ５０に光ディスク１０１をセットしたまま搬送することができるように構成されている。
【００３６】
搬送手段４０の前方に設けられた排出手段８０は、前記搬送用駆動ローラ４１と平行、すなわち主走査方向に伸びる排出用駆動ローラ８１と、周囲に鋭角的に尖った歯を複数有する排出用従動ローラ８２と、を備えている。排出用駆動ローラ８１は、モータ２７によって駆動されるように構成されており、排出用従動ローラ８２は、排出用フレーム８２１に備えられた排出用従動ローラホルダ（図示せず）に軸支され、前記排出用駆動ローラ８１と対をなすように設けられている。尚、説明を容易にするため、図６には排出用フレーム８２１を図示していない。
【００３７】
排出用フレーム８２１は、排出用従動ローラ８２が前記排出用駆動ローラ８１に対して接離可能であるように設けられ、図示しない排出用従動ローラ付勢手段によって排出用従動ローラ８２が排出用駆動ローラ８１に向かうように軽く付勢されている。  
また、排出用フレーム８２１は、排出用駆動ローラ８１と排出用従動ローラ８２との間を通るトレイ５０によって従動回転する円筒状のころ８３を備えている。トレイ５０は排出用駆動ローラ８１と排出用従動ローラ８２との間を通る際に、前記ころ８３を排出フレーム８２１ごと押し上げて、排出用従動ローラ８２を前記排出用駆動ローラ８１から離間する。  
そして、トレイ５０が排出用駆動ローラ８１と排出用従動ローラ８２との間を通っている際には、当該排出用従動ローラ８２がトレイ５０にセットされた光ディスク１０１と接しないようにするように構成されている。
【００３８】
搬送手段４０と排出手段８０との間に備えられた記録手段３０は、図２乃至図７に示すように、前記主走査方向に伸びる２本のキャリッジガイド軸３５ａ、３５ｂに支持されて、キャリッジ駆動モータ３６の動力をベルト３７（図２、図３を参照）から受けて主走査方向に往復移動可能なキャリッジ３１を備え、該キャリッジ３１の下部には、前記インクカートリッジ２１から供給されたインクを被記録材である記録用紙Ｐや光ディスク１０１等に向けて吐出可能なインク吐出口（図示せず）を有する記録ヘッド３２（図６を参照）が設けられている。
【００３９】
記録手段３０の下方に設けられたプラテン２５は、搬送手段４０によって搬送される被記録材を下方から支持可能であるように構成され、プラテン２５における記録ヘッド３２と対向する面には、主走査方向に伸びる長溝が設けられている。該長溝には、記録用紙Ｐ等の被記録材の端部からはみ出た領域にまでインクを吐出した際に当該はみ出た領域に打ち捨てられたインクを吸収可能なインク吸収体２５ａが備えられており、所謂四辺縁無し印刷が可能であるように構成されている。
【００４０】
続いて記録装置１による被記録材及び被記録材である光ディスク１０１をセット可能なトレイ５０の搬送について説明する。  
記録用紙Ｐのような被記録材は、給紙ローラ１５によって給紙カセット１０から単位数ずつ給紙されて、搬送用駆動ローラ４１と搬送用従動ローラ４２との間に挟持される。  
また、トレイ５０は、補助搬送手段７０によって待機位置６０から前方に向けて搬送されると、当該トレイ５０が搬送用従動ローラホルダ４２１を押し上げるようにして、搬送用駆動ローラ４１と搬送用従動ローラ４２との間に挿入され、両ローラ４１、４２の間に挟持される。
【００４１】
そして、記録用紙Ｐやトレイ５０が搬送用駆動ローラ４１と搬送用従動ローラ４２との間に挟持された状態で、搬送用駆動ローラ４１をモータ２７によって間欠的に回転駆動することで、記録用紙Ｐやトレイ５０は所定の搬送量ずつ間欠的に搬送される。  
尚、トレイ５０の搬送においては、搬送手段４０による搬送力が作用する状態になった後は、前記補助搬送手段７０への動力伝達は遮断されるようになっている。
【００４２】
搬送手段４０から前方に向けて搬送された記録用紙Ｐやトレイ５０は、プラテン２５に支持されて排出手段８０に向かい、排出用駆動ローラ８１と排出用従動ローラ８２との間に挟持される。  
この際トレイ５０は、搬送手段４０によって前方に向けて搬送されると、排出用フレー８２１がトレイ５０から遠ざかるようにころ８３を押し上げる。そのままトレイ５０は前方に搬送され、前記排出用従動ローラ８２とセット部５２にセットされた光ディスク１０１の記録面１０１ａとが接しない程度の間隔を保ちながら、当該トレイ５０は排出用駆動ローラ８１と排出用従動ローラ８２との間に挿入される。
【００４３】
そして排出手段８０は、記録用紙Ｐやトレイ５０を排出用駆動ローラ８１と排出用従動ローラ８２との間に位置させた状態、すなわち記録用紙Ｐやトレイ５０を排出用駆動ローラ８１と排出用従動ローラ８２との間に挟持した状態で、排出用駆動ローラ８１をモータ２７によって回転駆動することで、記録用紙Ｐを記録装置１の前方に向けて排出する。
【００４４】
図７に示すように、被記録材である記録用紙Ｐやトレイ５０にセットされた光ディスク１０１が搬送手段４０又は排出手段８０によって、記録手段３０とプラテン２５との間を通るように搬送される際に、記録手段３０に備えられたキャリッジ３１は主走査方向に移動して、該キャリッジ３１に備えられた記録ヘッド３２は被記録材に対して前記インク吐出口からインクを吐出して記録を実行する。  
すなわち記録ヘッド３２は、副走査方向に所定の搬送量ずつ間欠的に搬送される記録用紙Ｐに対して、前記インク吐出口からインクを吐出することで記録を実行可能である。また、インク吐出口から記録用紙Ｐの各端部からはみ出た領域にもインクを吐出することで、所謂四辺縁無し印刷を実行可能である。  
記録ヘッド３２は、図７に示すように、トレイ５０にセットされたままプラテン２５に沿って副走査方向に所定の搬送量ずつ間欠的に搬送される光ディスク１０１の記録面１０１ａに対して、所謂レーベル印刷を実行することも可能である。
【００４５】
既述したように、記録手段３０の高さは前記駆動部８５によって変更可能であり、プラテン２５と記録ヘッド３２との距離、所謂プラテンギャップ（記録ヘッド３２と被記録材との距離としてペーパーギャップと言うこともある）を被記録材の厚さに合わせて調整することで、記録ヘッド３２と被記録材の記録面との距離を記録に適した大きさにすることが可能である。  
記録実行後、記録用紙Ｐのように被記録材のみが搬送され、該被記録材に記録を実行するような場合には、被記録材はそのまま前方に送られ、最終的には搬送手段４０から離れて排出手段８０によって記録装置１の外部へと完全に排出される。
【００４６】
トレイ５０にセットされた光ディスク１０１に記録を実行する際にも同様にトレイ５０ごと完全に記録装置１の外部へと排出することも可能であるが、本実施例では、図２の一点鎖線のように、光ディスク１０１のセット及び取り外しが可能な程度まで前方に突き出た位置（排出位置）でトレイ５０が止まるように構成されている。  
そして図２の一点鎖線のようにトレイ５０が突き出て停止した後、利用者が記録装置１に設けられたボタン（図示せず）を押すことや記録装置１に接続されたコンピュータ（図示せず）から指令が記録装置１に送られること等によって、トレイ５０は待機位置６０に向かって搬送される。
【００４７】
トレイ５０を待機位置６０に格納する際には、当該トレイ５０を搬送用駆動ローラ４１と搬送用従動ローラ４２との間に挟持した状態で、モータ２７によって搬送用駆動ローラ４１をトレイ５０が待機位置６０に向かう方向に回転させて、トレイ５０を待機位置６０に近づけ、その後、再び動力伝達状態に切り換えられた補助搬送手段７０によって、搬送手段４０から外れたトレイ５０を待機位置６０まで搬送する。
【００４８】
以上が、本発明に係る記録装置１の概略構成及び記録用紙Ｐや光ディスク１０１のセットされたトレイ５０の搬送についての説明であり、記録装置１は、記録用紙Ｐやトレイ５０の搬送が可能であり、記録用紙Ｐに対する所謂四辺縁無し印刷、及び光ディスク１０１に対するレーベル印刷が可能であり、またトレイ５０を待機位置６０から前方に向けて搬送すること及び待機位置６０に格納することが可能であることを説明した。
【００４９】
次に、図３、図４及び図６を参照しつつ、拘束手段６５について説明する。  
既述したように、トレイ５０のセット部５２は円形溝であり、セットされた光ディスク１０１が水平方向に相対的にずれないように形成されている。  
さらに、図２乃至図５に示すように、記録装置１は、光ディスク１０１のセットされたトレイ５０が少なくとも待機位置６０にあるときには、光ディスク１０１が鉛直方向に移動することを阻止可能であり、光ディスク１０１がセット部５２から外れることを防止するように構成された拘束手段６５の第１の実施例として第１の拘束部材６６と第２の拘束部材６７ａとを備えている。
【００５０】
第１の拘束部材６６は、図６に示すように拘束部材回転中心６６ａがフレーム６２に軸支されており、図２乃至図６に示すように第１の拘束部材６６の先端部分が、待機位置６０にあるトレイにセットされた光ディスク１０１の中央部分１０１ｂと当接可能であるように構成されている。  
したがって、トレイ５０が少なくとも待機位置６０にあるときには、セット部５２にセットされた光ディスク１０１は、当該セット部５２によって水平方向の動きが制限されているだけでなく、前記第１の拘束部材６６によって鉛直方向の動きも制限されているため、当該光ディスク１０１はセット部５２から外れないようになっている。
【００５１】
また、図４及び図５に示すように、前記フレーム６２と第１の拘束部材６６との間には、該第１の拘束部材６６をトレイ５０に向けて押圧するように付勢する付勢手段としてのコイルばね６８が備えられている。該コイルばね６８は、第１の拘束部材６６が待機位置６０にあるトレイ５０にセットされた光ディスク１０１の中央部分１０１ｂをトレイ５０に向けて押圧する。  
さらに、第１の拘束部材６６の先端部分には、光ディスク１０１と当接可能な当接用ローラ６９が軸支されており、該当接用ローラ６９は、トレイ５０と共に搬送される光ディスク１０１と当接した際に当該光ディスク１０１によって従動して回転するように構成されている。
【００５２】
第１の拘束部材６６の先端部分（当接用ローラ６９）が、待機位置６０にあるトレイ５０のセット部５２にセットされた光ディスク１０１の中央部分１０１ｂと当接可能に構成されているため、当該光ディスク１０１の大きさに関係無く、当該光ディスク１０１がセット部５２から外れないように拘束し、当該光ディスク１０１をセット部５２に留めることができる。
【００５３】
すなわち、一般に光ディスクの一例であるコンパクトディスクの大きさは２種類（外径１２［ｃｍ］と外径８［ｃｍ］）あるが、どちらの大きさのコンパクトディスクも凸部５３と嵌合可能な穴を有し、セット部５２にセット可能である。そして中央付近（例えば、中央部分１０１ｂ）を押さえるように構成された拘束手段（例えば、第１の拘束部材６６）を用いることで、前記２種類のコンパクトディスクは、どちらもセット部５２から外れないように拘束することができる。
【００５４】
また第１の拘束部材６６には、待機位置６０にあるトレイ５０のセット部５２にセットされた光ディスク１０１をトレイ５０に向けて押圧するように、コイルばね６８が設けられている。そのため、記録装置１に衝撃や振動が加わっても、当該コイルばね６８によって吸収され、光ディスク１０１が暴れてセット部５２から外れることや破損すること等を防止できるようになっている。
【００５５】
さらに、第１の拘束部材６６の先端部分に設けられた当接用ローラ６９は、副走査方向に搬送される光ディスク１０１の外周部分と当接しても、光ディスク１０１に従動して、光ディスク１０１が搬送される方向に回転する。そのため、第１の拘束部材６６の先端部分が、光ディスク１０１の外周部分に引っ掛かることや、光ディスク１０１とトレイ５０との間に入り込んでしまうことは無く、光ディスク１０１が第１の拘束部材６６の先端部分によってセット部５２から押し出されてしまうようなこともなく、円滑な搬送を実現できる。
【００５６】
既述したように、第１の拘束部材６６は、光ディスク１０１の中央部分１０１ｂと当接可能であるため、他に光ディスク１０１を拘束する手段を必要とはしないが、本実施例に係る記録装置１は、待機位置６０にあるトレイ５０のセット部５２にセットされた光ディスク１０１を、より確実にセット部５２に留めるために、光ディスク１０１における外縁部分１０１ｃと当接可能な外縁部拘束部材としての第２の拘束部材６７ａも備えている。
【００５７】
該第２の拘束部材６７ａは、前記案内部材９０でもあり、該案内部材９０と光ディスク１０１における外縁部拘束部材（第２の拘束部材６７ａ）とを兼ねることで、部品点数の低減及び構造の簡素化を図っている。  
尚、拘束手段６５は、光ディスク１０１がセット部５２から外れないように、当該光ディスク１０１の動き（本実施例においては、鉛直方向の動き）を制限できれば良く、常に光ディスク１０１と当接している必要はない。  
トレイ５０を上下から挟み込む案内部材９０でもある第２の拘束部材６７ａは、トレイ５０にセットされた光ディスク１０１の記録面１０１ａと密着しない程度の余裕を有するように構成するのが好ましい。
【００５８】
すなわち、図２乃至図５のようにトレイ５０が待機位置６０にあるときに、第２の拘束部材６７ａは記録面１０１ａの一部分を覆っているが、当該第２の拘束部材６７ａと記録面１０１ａとの間には、光ディスク１０１が鉛直方向に移動可能で、且つ当該光ディスク１０１がセット部５２から外れない程度の小さな隙間があるように構成されているのが好ましい。  
該隙間を設けることで、第２の拘束部材６７ａは光ディスク１０１の記録面１０１ａの一部を覆っても、第２の拘束部材６７ａと記録面１０１ａとが密着せず、記録面１０１ａに第２の拘束部材６７ａが長時間当接したままであることに起因する問題（当接痕等）の発生を防止でき、記録品質の低下を招くことがない。
【００５９】
また、第１の拘束部材６６のように、光ディスク１０１のセットされたトレイ５０が待機位置６０に位置する際には、記録を施さない領域である非記録部分としての中央部分１０１ｂと接する構成とすることによっても、記録面１０１ａに当接痕等が発生することを防止できる。  
尚、本実施例においてトレイ５０が待機位置６０に向かうとき、若しくは待機位置６０から前方に向かうとき、第１の拘束部材６６の先端部分（当接用ローラ６９）は、光ディスク１０１における中央部分１０１ｂよりも後方に位置する記録面１０１ａと接するが移動中のみであり、長時間接することはないので、その影響はほとんど無い。
【００６０】
以上が、拘束手段６５であり、次に図８を参照しつつ、拘束手段６５の変形例について説明する。図８は当該変形例に係る拘束手段６５を示しており、記録装置１に対して図４と同様の方向から、第２の実施例に係る拘束手段６５付近を拡大した要部拡大図となっている。ここで、記録装置１全体としての構成は第１の実施例と同様であるため、同一の構成要素については、同一の符号を付して説明を省略する。
【００６１】
図８に示す拘束手段６５は、トレイ５０のセット部５２にセットされた光ディスク１０１の外縁部分１０１ｃと当接可能な２つの外縁部拘束部材（第２の拘束部材６７ａと第３の拘束部材６７ｂ）を備えている。第２の拘束部材６７ａ及び第３の拘束部材６７ｂは、トレイ５０が待機位置に位置する際に、光ディスク１０１の中央部分１０１ｂを挟むように位置する２カ所の外縁部分１０１ｃと当接可能であり、光ディスク１０１は鉛直方向の動きが制限されてセット部５２から外れないようになっている。
【００６２】
図８において、トレイ５０は、待機位置６０に位置しており、当該トレイ５０は幅方向の両端部を案内部材９０に支持され、両案内部材９０はそれぞれトレイ５０を上下から挟み込むように構成されており、トレイ５０は、案内部材９０に対して副走査方向にスライド可能となっている。  
そして、２つの案内部材９０は、一方が第２の拘束部材６７ａを兼ね、他方が第３の拘束部材６７ｂを兼ねるように構成されている。  
尚、本変形例においても拘束手段６５は、光ディスク１０１がセット部５２から外れないように、当該光ディスク１０１の動き（本実施例においては、鉛直方向の動き）を制限できれば良く、常に光ディスク１０１と当接している必要はない。
【００６３】
トレイ５０を上下から挟み込む案内部材９０でもある第２の拘束部材６７ａ及び第３の拘束部材６７ｂは、トレイ５０にセットされた光ディスク１０１の記録面１０１ａと密着しない程度の隙間を有するように構成されているのが好ましい。  
すなわち、トレイ５０が待機位置６０にあるときに、第２の拘束部材６７ａ及び第３の拘束部材６７ｂは記録面１０１ａの一部分を覆っているが、両拘束部材６７ａ、６７ｂと記録面１０１ａとの間には、光ディスク１０１が鉛直方向に移動可能で、且つ当該光ディスク１０１がセット部５２から外れない程度の小さな隙間があるように構成されているのが好ましい。
【００６４】
該隙間を設けることで、第２の拘束部材６７ａ及び第３の拘束部材６７ｂは光ディスク１０１の記録面１０１ａの一部を覆っても、各拘束部材６７ａ、６７ｂと記録面１０１ａとが密着せず、記録面１０１ａに各拘束部材６７ａ、６７ｂが長時間当接したままであることに起因する問題（当接痕等）の発生を防止でき、記録品質の低下を招くことがない。
【００６５】
＜２．異形薄板状体をセット可能なアダプタ、及びトレイの第１実施例＞  
以上が、記録装置１の全体構成についての説明である。続いて、図９乃至図１６参照しつつ、トレイのセット部と輪郭の異なる薄板状体である異形薄板状体をセット可能なアダプタ、及び該アダプタを装着可能な本発明に係るトレイの第１実施例について説明する。  
図９は、異形薄板状体をセット可能な異形薄板状体セット部２５２を有するアダプタ２５０をセット部１５１に装着したトレイ１５０の平面図である。
【００６６】
既述したように、光ディスクの一例であるコンパクトディスクには、外径１２［ｃｍ］のものと、外径８［ｃｍ］のものがある。ここでは、外径１２［ｃｍ］のコンパクトディスク（以下、１２ｃｍＣＤと言う）を、セット部１５１に直接セットすべき薄板状体、すなわちセット部１５１と輪郭が略同形状の薄板状体の一例として、外径８［ｃｍ］のコンパクトディスク（以下、８ｃｍＣＤ２０１と言う）を、アダプタ２５０と共にセット部５２にセットすべき薄板状体、すなわちセット部１５１と輪郭の異なる薄板状体である異形薄板状体の一例として、説明を進める。
【００６７】
図１０に示すように、トレイ１５０は、前記トレイ５０と同様に、前記記録装置１に対して案内部材９０に沿ってスライド可能であるように備えられていて、主に補助搬送手段７０及び搬送手段４０の連携によって、記録装置１の前方に進出して突き出すことが可能であり、また記録装置１の前方に突き出た状態から待機位置６０まで引き戻すことが可能である。
【００６８】
すなわち補助搬送手段７０はラック１５４を駆動してトレイ１５０の搬送を実行し、搬送手段４０は、搬送用駆動ローラ４１、搬送用従動ローラ４２によって、トレイ１５０を上下から挟持しつつ、トレイ１５０の搬送を実行する。  
尚、トレイ１５０、アダプタ２５０、８ｃｍＣＤ２０１以外の各構成要素は、前記トレイ５０を備えた記録装置１と同一であるため、図１０及び図１４には前記トレイ５０を備えた記録装置１の場合と同一の符号を付し、また各構成要素の説明は省略する。
【００６９】
まず、トレイ１５０について説明し、次にアダプタ２５０の詳細及び８ｃｍＣＤ２０１をセットしたアダプタ２５０をトレイ１５０に装着した状態について説明する。  
図１１に示すように、トレイ１５０は、先に示したトレイ５０と同様に、光ディスクをセット可能なセット部１５１を有し、該セット部１５１は、外縁部分が直径Ｄ１の略円形状の凹部であり、該セット部１５１の中心部分には外径ｄ１の凸部１５３が設けられている。
【００７０】
トレイ１５０は、セット部１５１の底面１５１ｂに、第１の収容部１５２ａとして厚さ方向に貫通した長溝状の穴と、第２の収容部１５２ｂとして前方の辺に形成された切り欠きと、を有している。  
尚、トレイ１５０は、前記トレイ５０と同様に、前方に突き出た状態から待機位置６０まで引き込まれるが、この際に人の指等が、第１の収容部１５２ａに入っていたり、第２の収容部１５２ｂに挟まれていたりすると危険なので、安全上、第１の収容部１５２ａである穴の大きさは、人の指が入り込まない程度に小さく設定するのが良く、第２の収容部１５２ｂである切り欠きの大きさは、人の指が挟み込まれない程度に大きく設定しておくのが良い。
【００７１】
セット部１５１の直径Ｄ１、及び凸部１５３の外径ｄ１の大きさは、中央に穴を有するリング状の円盤である１２ｃｍＣＤが嵌合可能な大きさとなっており、図５及び図６に示したトレイ５０と前記光ディスク１０１の関係のように、トレイ１５０のセット部１５１に対して１２ｃｍＣＤを単体で直接セットすると、１２ｃｍＣＤとトレイ１５０のセット部１５１との間には、ほとんど隙間が無く、セット部１５１の底面１５１ｂが露出しない状態となる。
【００７２】
８ｃｍＣＤ２０１も１２ｃｍＣＤと同様に、中央に穴を有するリング状の円盤であり、該８ｃｍＣＤ２０１の内径ｄ３はセット部１５１中央の凸部１５３の外径ｄ１と略同寸法であるため、８ｃｍＣＤ２０１の内径部分と凸部１５３とを嵌合させることで、セット部１５１に対して８ｃｍＣＤ２０１を単体で直接セットすることが可能である。
【００７３】
しかしながら、８ｃｍＣＤ２０１の外径Ｄ３はセット部１５１の凹部の直径Ｄ１よりも小さいため、セット部１５１に対して８ｃｍＣＤ２０１を単体で直接セットすると、８ｃｍＣＤ２０１とセット部１５１との間に隙間ができて、セット部１５１の底面１５１ｂが露出した状態となり、８ｃｍＣＤ２０１の外縁部分によって段差が形成されることとなる。  
８ｃｍＣＤ２０１の外縁部分によって段差が形成されると、トレイ１５１が、補助搬送手段７０及び搬送手段４０の連携によって副走査方向に搬送される際に、搬送手段４０が、８ｃｍＣＤ２０１の外縁部分に引っ掛かり、該８ｃｍＣＤ２０１をセット部１５１から蹴り出すようにして押し出してしまう虞がある。
【００７４】
そこで、８ｃｍＣＤ２０１の外径Ｄ３及びセット部１５１の直径Ｄ１を考慮しつつ、アダプタ２５０の内径ｄ２及び外径Ｄ２を設定することで、８ｃｍＣＤ２０１とセット部１５１との間の隙間を埋めることが可能であり、８ｃｍＣＤ２０１の厚さ及びセット部１５１の凹部の深さを考慮しつつ、アダプタ２５０の基礎部２５１の厚さを設定することで、トレイの上面１５０ａ、アダプタの上面２５０ａ及び８ｃｍＣＤ２０１の記録面２０１ａを面一とすることが可能である。そして、トレイ１５０の搬送時に、８ｃｍＣＤ２０１が、搬送手段４０によって押し出されてしまう虞を無くすことができる。
【００７５】
続いて、アダプタ２５０の詳細及び８ｃｍＣＤ２０１をセットしたアダプタ２５０をトレイ１５０に装着した状態についての説明をする。  
図１２は、トレイ１５０のセット部１５１に装着可能なアダプタ２５０を示しており、該アダプタ２５０は、中央に穴を有するリング状の基礎部２５１を有し、該基礎部２５１は、外径Ｄ２がセット部１５１における凹部の直径Ｄ１と略同寸法で、内径ｄ２が８ｃｍＣＤ２０１の外径Ｄ３と略同寸法で、当該基礎部２５１の内径部分は異形薄板状体である８ｃｍＣＤ２０１をセット可能な異形薄板状体セット部２５２であり、アダプタ２５０の上面２５１には、反射板２５５が設けられている。該反射板２５５については後述する。
【００７６】
基礎部２５１の異形薄板状体セット部２５２には、アダプタ２５０とセット部１５１との位置関係を決める位置決め片として、第１の位置決め片２５２ａ及び第２の位置決め片２５２ｂが設けられている。図１３に示すように、各位置決め片２５２ａ、２５２ｂは、基礎部２５１の下面２５０ｂ側から厚さ方向外側に向かって、すなわち、図１４に示すように、セット部１５１にセットした状態で基礎部２５１におけるトレイ１５０と対向する面から下方に向かって突出しており、また各位置決め片２５２ａ、２５２ｂは、基礎部２５１の内径部分から該基礎部２５１の中心に向かって突出している。
【００７７】
第１の位置決め片２５２ａは、セット部１５１の底面１５１ｂに設けられた第１の収容部１５２ａに嵌合可能であり、第２の位置決め片２５２ｂは、セット部１５１の底面１５１ｂに設けられた第２の収容部１５２ｂに嵌合可能であるように、形成されている。  
そして、図９又は図１５に示すように、アダプタ２５０は、各位置決め片２５２ａ、２５２ｂを対応する各収容部１５２ａ、１５２ｂに嵌合させることで、トレイ１５０のセット部１５１に装着可能である。  
さらに、図１６に示すように、トレイ１５０に装着されたアダプタ２５０の異形薄板状体セット部２５２には、８ｃｍＣＤ２０１をセット可能であり、異形薄板状体セット部２５２に８ｃｍＣＤ２０１をセットすると、アダプタ２５０の各位置決め片２５２ａ、２５２ｂは８ｃｍＣＤ２０１に覆われる。
【００７８】
既述したように、各位置決め片２５２ａ、２５２ｂは、基礎部２５１の内径部分から中心に向かって突出していて、当該異形薄板状体セット部２５２にセットされた８ｃｍＣＤ２０１を下方から支持可能な支持部２５３を兼ねている。  
すなわち、トレイ１５０のセット部１５１は、該セット部１５１と輪郭の異なる薄板状体である異形薄板状体としての８ｃｍＣＤ２０１をセット可能な異形薄板状体セット部２５２を有するアダプタ２５０を装着可能であり、該異形薄板状体セット部２５２には、当該異形薄板状体セット部２５２にセットされた８ｃｍＣＤ２０１を支持可能な支持部２５３が設けられている。
【００７９】
そして、トレイ１５０に装着されたアダプタ２５０の異形薄板状体セット部２５２に８ｃｍＣＤ２０１をセットした状態で、支持部２５３である各位置決め片２５２ａ、２５２ｂは、図１４に示すように８ｃｍＣＤ２０１の下方に入り込んでいて、８ｃｍＣＤ２０１に対して下方から当接可能であり、アダプタ２５０を持ち上げると、８ｃｍＣＤ２０１は下方からアダプタ２５０の支持部２５３に支持されて、アダプタ２５０と一体的に持ち上げられる。
【００８０】
尚、位置決め片２５２ａ、２５２ｂでもある支持部２５３は、本実施例において合計で４つ設けられているが、その数は４つに限られるものではなく、異形薄板状体セット部２５２に８ｃｍＣＤ２０１をセットした状態で、アダプタ２５０を持ち上げても、８ｃｍＣＤ２０１が異形薄板状体セット部２５２に留まるように支持可能に構成されて入れば良い。
【００８１】
また、記述したように位置決め片２５２ａ、２５２ｂでもある支持部２５３は、アダプタ２５０の基礎部２５１におけるトレイ１５０と対向する下面２５０ｂから厚さ方向外側、すなわち図１４の下方に向かって突出しており、当該支持部２５３のトレイ１５０の厚さ方向についての基礎部２５１からの突出量は、セット部１５１の底面１５１ｂの厚さよりも小さく設定されている。
【００８２】
つまり、支持部２５３は、トレイ１５０にアダプタ２５０をセットした状態で、各収容部１５２ａ、１５２ｂに収まってトレイ１５０全体としての厚さが増加しないように形成されている。  
さらに、８ｃｍＣＤ２０１の厚さ及びアダプタ２５０の基礎部２５１の厚さを、セット部１５１である凹部の深さと略同寸法に設定することで、図１４に示すように、トレイ１５０の上面１５０ａ、アダプタ２５０の上面２５０ａ及び８ｃｍＣＤ２０１の記録面２０１ａの３面は面一になる。
【００８３】
以上のように、トレイ１５０及びアダプタ２５０は、８ｃｍＣＤ２０１のセットされたアダプタ２５０をトレイ１５０に装着した状態で、アダプタ２５０及び８ｃｍＣＤ２０１がトレイ１５０からトレイ１５０の厚さ方向に突出しないように構成されている。  
したがって、トレイ１５１の副走査方向の搬送を円滑に実行することができ、８ｃｍＣＤ２０１やアダプタ２５０の外縁部分が、搬送手段４０に引っ掛かってセット部５２から、押し出されてしまうことを防止できる。
【００８４】
そして図１０に示すように、トレイ１５０が待機位置６０にあると、トレイ１５０に装着されたアダプタ２５０にセットされた８ｃｍＣＤ２０１は、その中央付近に設けられた非記録部分２０１ｂが拘束手段６５に押さえられる。  
すなわち、８ｃｍＣＤ２０１のセットされたアダプタ２５０を装着したトレイ１５０が少なくとも待機位置６０にあるときに、拘束手段６５としての第１の拘束部材６６は、８ｃｍＣＤ２０１がアダプタ２５０から外れることを防止し、当該８ｃｍＣＤ２０１は、アダプタ２５０の支持部２５３を介して当該アダプタ２５０がセット部５２から外れることを防止するように構成されている。
【００８５】
より詳細には、図１４に示すように８ｃｍＣＤ２０１のセットされたアダプタ２５０がトレイ１５０に装着された状態で支持部２５３は、８ｃｍＣＤ２０１の下方に入り込んでいるため、８ｃｍＣＤ２０１が第１の拘束部材６６に押さえられると、アダプタ２５０の支持部２５３は、８ｃｍＣＤ２０１の下面２５０ｂに押さえられ、結果として、アダプタ２５０は、支持部２５３を介してセット部５２に拘束される。  
そのため、８ｃｍＣＤ２０１のセットされたアダプタ２５０の装着されたトレイ１５０が少なくとも待機位置６０にあるときには、記録装置１ごとトレイ１５０が傾けられても、８ｃｍＣＤ２０１及びアダプタ２５０は、セット部１５１から外れることやトレイ１５０から落下することがない。
【００８６】
ただし、８ｃｍＣＤ２０１をセットせずに、アダプタ２５０のみをトレイ１５０に装着した場合には、該トレイ１５０が待機位置６０にあっても、第１の拘束部材６６はアダプタ２５０を押さえることができないため、記録装置１ごとトレイ１５０が傾けられると、アダプタ２５０はセット部１５１から外れてしまう虞がある。そして、アダプタ２５０が記録装置１内に落下して、そのまま放置されてしまうこともある。
【００８７】
このようなことを防止するために、例えば、トレイ１５０が待機位置６０に向かう途中で、８ｃｍＣＤ２０１及びアダプタ２５０を検出して、トレイ１５０に対してアダプタ２５０のみが単体で装着されている場合には、トレイ１５０を前方に向けて搬送し、アダプタ２５０が記録装置１内に入らない位置までトレイ１５０を前方に突き出し、利用者に注意を促すと良い。
【００８８】
本実施例に係るアダプタ２５０の上面２５０ａには、トレイ１５０の上面１５０ａと反射率の異なる反射板２５５が設けられており、さらにキャリッジ３１におけるトレイ１５０との対向部分には、発光部と受光部を有する図示しないセンサが備えられている。  
トレイ１５０は全体が黒色で、アダプタ２５０の基礎部２５１は黒色で、反射板２５５は白色で、８ｃｍＣＤ２０１の記録面２０１ａは白色であり、キャリッジ３１に備えられた前記センサによって、反射板２５５及び８ｃｍＣＤ２０１の検出が可能である。
【００８９】
すなわち黒色のトレイ１５０及びアダプタ２５０と、白色の反射板２５５及び記録面２０１ａと、では反射率が異なるため、前記センサの発光部から発して、トレイ１５０、アダプタ２５０、反射板２５５又は記録面２０１ａで反射した光を受光部で受け、反射率及びその変化を検出することで、反射板２５５及び８ｃｍＣＤ２０１を検出可能である。  
反射板２５５は、反射率及びその変化を検出して、トレイ１５０の上面１５０ａやアダプタ２５０の上面２５０ａと区別できれば良く、必ずしも白色に限定するものではない。また記録面２０１ａの色は、通常白色であるが、必ずしも白色に限定するものではなく、トレイ１５０の上面１５０ａやアダプタ２５０の上面２５０ａと区別できれば良い。
【００９０】
そしてトレイ１５０を待機位置６０に向けて搬送する際に、キャリッジ３１を主走査方向に移動させて、前記センサによって反射板２５５及び８ｃｍＣＤ２０１の検出を実行する。  
尚、前記センサによる検出位置、すなわち前記センサでトレイ１５１上のどの位置の検出を実行しているかについては、キャリッジ３１の主走査方向の位置を、例えばキャリッジ駆動モータ３６の回転量から算出し、トレイ１５０の副走査方向の位置を、例えば駆動部８５のモータ２７の回転量から算出することで把握できる。
【００９１】
前記センサによって反射板２５５及び８ｃｍＣＤ２０１の検出を実行し、セット部１５１の凸部１５３を中心に直径Ｄ２から直径ｄ２の範囲内の一部分が白色であれば、該白色は反射板２５５であり、セット部１５１にアダプタ２５０が装着されていると判断できる。  
さらに、セット部１５１の凸部１５３を中心に直径ｄ２よりも内側が白色であれば、８ｃｍＣＤ２０１がセットされていると判断でき、セット部１５１の凸部１５３を中心に直径ｄ２よりも内側が黒色であれば、８ｃｍＣＤ２０１はセットされていないと判断できる。
【００９２】
尚、セット部１５１の凸部１５３を中心に直径Ｄ２から直径ｄ２の範囲内の一部分だけでなく、全体が白色であれば、セット部１５１には１２ｃｍＣＤが直接セットされていると判断でき、白色の部分が無ければセット部１５１には、アダプタ２５０は装着されておらず、１２ｃｍＣＤもセットされていないと判断できる。  
したがって、セット部１５１の凸部１５３を中心に直径Ｄ２から直径ｄ２の範囲内の一部分が白色であり、且つセット部１５１の凸部１５３を中心に直径ｄ２よりも内側が黒色であれば、セット部１５１にアダプタ２５０のみが装着されていると判断できる。
【００９３】
そして、本実施例に係る記録装置１は、セット部１５１にアダプタ２５０のみが装着されていると判断すると、トレイ１５０を前方に向けて搬送し、記録装置１内にアダプタ２５０が入らない程度までトレイ１５０を前方に突き出し、同時に警告音を発して利用者に注意を促すように構成されており、記録装置１内にアダプタ２５０が落下して、放置されてしまうことを防止している。
【００９４】
尚、１２ｃｍＣＤと略同形状のセット部１５１に対して、異形薄板状体となる薄板状体としては、８ｃｍＣＤ２０１以外にも例えば、名刺程度のカードサイズで輪郭が長方形に形成された光ディスクなどもあり、アダプタ２５０の穴の形状、すなわち異形薄板状体セット部２５２の形状を当該カードサイズの光ディスクの輪郭と略同形状に形成することで、当該名刺サイズの光ディスクの記録面に対しても、円滑な搬送が可能であり、記録品質の低下を招くことなく記録の実行が可能である。
【００９５】
ところで、第２の収容部１５２ｂは、図１１から明らかなようにセット部１５１に形成される穴部であって、セット部１５１にセットされた１２ｃｍＣＤ、或いはアダプタ２５０（及び８ｃｍＣＤ２０１）を取り出す際には、第２の収容部１５２ｂに下側から指を入れ、１２ｃｍＣＤの場合は当該１２ｃｍＣＤの外周部を、アダプタ２５０の場合は位置決め片２５２ｂを下側から持ち上げることで、これを取り出すことができる。従って第２の収容部１５２ｂは、トレイにセットされた薄板状体を取り出し可能とする穴部としての機能を果たす。
【００９６】
そして、第２の収容部１５２ｂは、トレイ１５０の前方の辺に切り欠き形状を成す様に、より詳しくはトレイ１５０の搬送方向下流側（図１１では前方側）に開口部を有する様に形成されている。換言すれば、セット部１５１から搬送方向下流側に延びる様な溝形状を成すように形成されている。従ってこれにより、第２の収容部１５２ｂに指を挿入した状態のままトレイ１５０が搬送方向上流側（待機位置６０の側）に引き戻されても、第２の収容部１５２ｂに挿入された指は前記開口部からトレイ１５０の外側に出ることができ、従って第２の収容部１５２ｂと装置の構成要素（本実施形態では、特に排出用フレーム８２１）との間で指が挟まれるといった問題を招くことがなく、安全にトレイへ１５０への薄板状体のセット作業或いは取り外し作業を行うことができる。
【００９７】
以上説明した全ての手段は、記録面を有する薄板状体が所定のセット部にセットされたトレイを搬送可能に構成された搬送手段と、前記トレイにセットされたまま搬送される薄板状体の記録面に文字や図形等を記録可能に構成された記録手段と、前記トレイを格納可能な待機位置と前記搬送手段との間の当該トレイの搬送を実行可能な補助搬送手段と、を備えた記録装置に利用可能である。  
また、トレイのセット部と輪郭の異なる薄板状体である異形薄板状体をセット可能なアダプタ、該アダプタを装着可能なトレイ、及び該トレイを備えた記録装置に利用可能である。
【００９８】
＜３．異形薄板状体をセット可能なアダプタ、及びトレイの第２実施例＞  
続いて、図１７乃至図２０を参照しながら、トレイのセット部と輪郭の異なる薄板状体である異形薄板状体をセット可能なアダプタ、及び該アダプタを装着可能なトレイの第２実施例について説明する。ここで、図１７は第２実施例に係るトレイ３５０の平面図、図１８は第２実施例に係るアダプタ４５０の平面図、図１９はトレイ３５０、アダプタ４５０、８ｃｍＣＤ２０１の斜視図（分解斜視図）、図２０はトレイ３５０が記録装置１の前方側に突出した状態を示す記録装置１の平面図であって、図２０（Ｂ）は、図２０（Ａ）よりもトレイ３５０が待機位置６０の側（搬送方向上流側）に所定量引き戻された状態を示している。
【００９９】
図１７に示すトレイ３５０は、上述したトレイ５０及び１５０と同様に搬送手段４０によって搬送可能な形状（板状体）から成り、また、上述したトレイ１５０と同様に、１２ｃｍＣＤ１０１（図８参照）をセット可能に構成されるとともに、上述したアダプタ２５０と同様な機能を有する、リング状の形状を成すアダプタ４５０を介して、８ｃｍＣＤ２０１（図１９参照）をセット可能に構成されている。また、トレイ３５０の側端にはラック３５４が形成され、図１０に示す搬送補助手段７０及び搬送手段４０の連携によって、記録装置１の前方に進出して１２ｃｍＣＤ１０１、８ｃｍＣＤ２０１、アダプタ４５０をセット可能な状態となり、且つ、前方に進出した状態から待機位置６０まで引き戻すことが可能であることも、トレイ５０及びトレイ１５０と同様である。更に、１２ｃｍＣＤ１０１或いは８ｃｍＣＤ２０１をセットした状態では、トレイ３５０と、１２ｃｍＣＤ１０１或いは８ｃｍＣＤ１０１と、アダプタ４５０（８ｃｍＣＤ２０１セット時）のそれぞれの上面が段差なく面一となる様に構成され、搬送時の引っ掛かりを防止可能となっていることも、トレイ５０及びトレイ１５０と同様である。
【０１００】
図１７において、符号３５１は、内径が１２ｃｍＣＤ１０１の外径とほぼ同じに形成されたセット部（凹部）を示し、符号３５３は、外径が１２ｃｍＣＤ１０１及び８ｃｍＣＤ２０１の中心穴の内径とほぼ同じに形成された凸部を示している。セット部３５１の外周部には、第１の収容部３５２ａが形成され、セット部３５１の内部には、第２の収容部３５２ｂが形成されている。また、トレイ３５１の先端（図１７の左側）には、トレイ３５１の先端に開口を有するとともに、トレイ３５１の先端からセット部３５１へと切り込む様な形状に成された第２の収容部３５２ｃが形成されている。
【０１０１】
一方、セット部３５１にセット可能なアダプタ４５０は、図１８に示す様に外径が１２ｃｍＣＤ１０１の外径とほぼ同じに形成されるとともに、内径が８ｃｍＣＤ２０１の外径とほぼ同じに形成された、リング形状を成している。そしてその外周には、径方向に突出する形状を成す第１の位置決め片４５２ａが形成され、内周には、中心方向に向けって突出する様な舌片状の形状を成す第２の位置決め片４５２ｂが形成されている。更に、外周には、径方向に突出する第３の位置決め片４５２ｃが形成されている。
【０１０２】
第１の位置決め片４５２ａ及び第２の位置決め片４５２ｂは、上述した第１の位置決め片２５２ａと同様に、アダプタ４５０の下面（図１８の紙面裏側）から厚さ方向に突出する様に形成されている。従ってこれにより、アダプタ４５０がトレイ３５０にセットされると、第１の位置決め片４５２ａがトレイ３５０の第１の収容部３５２ａと嵌合し、更に第２の位置決め片４５２ｂはトレイ３５０の第２の収容部３５２ｂと、そして第３の位置決め片４５２ｃはトレイ３５０の第３の収容部３５３ｂと、それぞれ嵌合する。そしてこれによってトレイ３５０における、アダプタ４５０の位置が定まり、且つ、アダプタ４０がセット部３５１内で動かない様に保持される様になっている。また、アダプタ４５０にセットされる８ｃｍＣＤ２０１は、当該８ｃｍＣＤ２０１を支持可能な支持部を兼ねる第２の位置決め片４５２ｂによって支持される。尚、本実施形態では、第１の位置決め片４５２ａ及びこれに対応する第１の収容部３５２ａは、それぞれ３箇所形成されるが、例えば１箇所でも良いし、５箇所等の様に更に多数形成しても良い。また、第２の位置決め片４５２ｂ及びこれに対応する第２の収容部３５２ｂについても、本実施形態ではそれぞれ３箇所形成されるが、例えば１箇所でも良いし、５箇所等の様に更に多数形成しても良い。更に、本実施形態では、第２の位置決め片４５２ｂが、８ｃｍＣＤ２０１を支持する支持部を兼ねているが、別途独立に設けても良い。
【０１０３】
８ｃｍＣＤ２０１をアダプタ４５０を介してトレイ３５０にセットする際には、図１９に示す様にトレイ３５０のセット部３５１にアダプタ４５０を載置する様にセットし、そして８ｃｍＣＤ２０１をアダプタ４５０に載置する様にセットする。或いは、８ｃｍＣＤ２０１をアダプタ４５０にセットした上で、当該８ｃｍＣＤ２０１及びアダプタ４５０を、トレイ３５０にセットしても良い。
【０１０４】
トレイ３５０にアダプタ４５０及び８ｃｍＣＤ２０１がセットされた状態では、上述の通り、それぞれの上面は段差なく面一となり、特に第３の位置決め片４５２ｃについても、第３の収容部３５２ｃに嵌合した状態で、段差なく面一となる様に構成されている。
【０１０５】
ところで、第３の収容部３５２ｃは、図１１から明らかなようにセット部３５１に形成される穴部であって、セット部３５１にセットされた１２ｃｍＣＤ１０１、或いはアダプタ４５０（及び８ｃｍＣＤ２０１）を取り出す際には、第３の収容部３５２ｃに下側から指を入れ、１２ｃｍＣＤ１０１の場合は当該１２ｃｍＣＤの外周部を、アダプタ４５０の場合は位置決め片４５２ｃを下側から持ち上げることで、容易にこれを取り出すことができる。従って第３の収容部３５２ｃは、トレイにセットされた薄板状体を取り出し可能とする穴部としての機能を果たす。
【０１０６】
そして、第３の収容部３５２ｃは、トレイ３５０の前方の辺に切り欠き形状を成す様に、より詳しくはトレイ３５０の搬送方向下流側（図１７では左方向）に開口部を有する様に形成されている。従ってこれにより、第３の収容部３５２ｃに指を挿入した状態のままトレイ３５０が搬送方向上流側（待機位置６０の側）に引き戻されても、図２０（Ａ）、（Ｂ）から明らかなように第３の収容部３５２ｃに挿入された指は前記開口部からトレイ３５０の外側に出ることができ、従って第３の収容部３５２ｃと装置の構成要素（本実施形態では、特に排出用フレーム８２１）との間で指が挟まれるといった問題を招くことがなく、安全にトレイへ３５０への薄板状体（本実施形態では、１２ｃｍＣＤ１０１、８ｃｍＣＤ２０１、アダプタ４５０）のセット作業或いは取り外し作業を行うことができる。特に、第３の収容部３５２ｃは、セット部３５１から搬送方向下流側に真っ直ぐに延びる溝形状を成しているので、より一層第３の収容部３５２ｃに挿入された指が外れやすい形状となっている。
【０１０７】
これは、トレイ３５０がプリンタ本体と一体に設けられ（所謂ビルトインタイプ）、そしてボタン操作によってトレイの出し入れが行われる本実施形態の様な記録装置において、より顕著にその作用効果を発揮する。  
尚、以上においては、「異形薄板状体」の一例として８ｃｍＣＤを例に説明したが、これに限られるものではなく、例えば名刺サイズの光ディスク等に適用可能なことは言うまでもない。
【図面の簡単な説明】
【０１０８】
【図１】記録装置の正面及び左側面を上方から示す外観斜視図。
【図２】ハウジングを外した記録装置の左側面を上方から示す斜視図。
【図３】トレイが待機位置にある記録装置の右側面を前方から示す斜視図。
【図４】トレイが待機位置にある記録装置の右側面を後方から示す斜視図。
【図５】トレイが待機位置にある記録装置の平面図。
【図６】記録装置の主要部を示す右側断面図。
【図７】光ディスクのセットされたトレイを搬送中の記録装置の平面図。
【図８】拘束手段の第２の実施例を示す要部拡大図。
【図９】アダプタが装着されたトレイ（第１実施例）を示す平面図。
【図１０】図９のトレイを備えた記録装置を示す平面図。
【図１１】図９のトレイのセット部を示す正面側からの拡大斜視図。
【図１２】異形薄板状体をセット可能なアダプタの上面側からの斜視図。
【図１３】異形薄板状体をセット可能なアダプタの下面側からの斜視図。
【図１４】異形薄板状体及びアダプタが備えられたトレイ（第１実施例）の断面図。
【図１５】アダプタが装着されたトレイ（第１実施例）の拡大斜視図。
【図１６】異形薄板状体、アダプタが装着されたトレイ（第１実施例）の拡大斜視図。
【図１７】第２実施例に係るトレイの平面図。
【図１８】第２実施例に係るアダプタの平面図。
【図１９】第２実施例に係るトレイ、アダプタ、ＣＤの斜視図。
【図２０】第２実施例に係るトレイが記録装置前方に突出した状態を示す図。
【符号の説明】
【０１０９】
２５  プラテン、  ２７  駆動モータ、  ３０  記録手段、  ３１  キャリッジ、  ３５ａ  キャリッジガイド軸、  ３５ｂ  キャリッジガイド軸、  ５０  トレイ、  ５２  セット部、  ５３  凸状部、  ５４  ラック、  ６０  待機位置、  ６２  フレーム、  ６５  拘束手段、  ６６  第１の拘束部材、  ６７ａ  第２の拘束部材、  ６８  コイルばね、  ６９  当接用ローラ、  ７０  補助搬送手段、  ７２  歯車列、  ８０  排出手段、  ８２  排出用従動ローラ、  ８３  ころ、  ９０  案内手段、  １０１  光ディスク（１２ｃｍ）、  １０１ａ  記録面、  １０１ｂ  中央部分、  １０１ｃ  外縁部分、１５０  トレイ、２５０  アダプタ、３５０  トレイ、４５０  アダプタ、２０１  光ディスク（８ｃｍ）、  ８２１  排出用フレーム、Ｐ  記録用紙
【図１】
2005096412.tif 000003
【図２】
2005096412.tif 000004
【図３】
2005096412.tif 000005
【図４】
2005096412.tif 000006
【図５】
2005096412.tif 000007
【図６】
2005096412.tif 000008
【図７】
2005096412.tif 000009
【図８】
2005096412.tif 000010
【図９】
2005096412.tif 000011
【図１０】
2005096412.tif 000012
【図１１】
2005096412.tif 000013
【図１２】
2005096412.tif 000014
【図１３】
2005096412.tif 000015
【図１４】
2005096412.tif 000016
【図１５】
2005096412.tif 000017
【図１６】
2005096412.tif 000018
【図１７】
2005096412.tif 000019
【図１８】
2005096412.tif 000020
【図１９】
2005096412.tif 000021
【図２０】
2005096412.tif 000022